(57)【要約】【課題】寿命告知機能を有する照明器具において、寿命が来たことを使用者に確実に告知することができ、寿命が来た場合に適切な時期に使用者が処置することができる。【解決手段】照明器具１は、光源である複数のＬＥＤパッケージ２を備えている。照明器具１は、予め設定された照明器具１の寿命に到来すると、ＬＥＤパッケージ２の点灯、消灯を繰り返して、ＬＥＤパッケージ２の点灯状態を通常の点灯状態から変化させることにより、寿命であることを告知する。ＬＥＤパッケージ２の点灯状態の変化は、点灯装置１の使用者にとって容易に確実に認識できる。【選択図】図１
2006236636.tif 000002
【特許請求の範囲】
【請求項１】
複数の光源を点灯させる点灯回路と、前記複数の光源の内少なくとも１つの光源を１つの単位として個別に点灯制御可能な制御回路と、予め設定された本点灯装置の寿命と関連して変化する物理的変化を検知し、これを基に寿命の到来を判定する判定手段と、前記判定手段が寿命の到来であると判定したときに寿命であることを告知する告知手段とを備えた点灯装置であって、
前記告知手段は、前記制御回路が複数の光源のうち少なくとも一部の点灯状態を変化させることにより、寿命であることを告知することを特徴とする点灯装置。
【請求項２】
前記告知手段は、複数の光源のうち一部の光源の点灯状態を変化させ、該点灯状態を変化させる光源を時間の経過とともに変更することにより、寿命であることを告知することを特徴とする請求項１に記載の点灯装置。
【請求項３】
前記告知手段は、寿命告知用の点灯状態の設定を複数有し、寿命であることの告知時間の経過と共に前記寿命告知用の点灯状態の設定を変えることを特徴とする請求項１に記載の点灯装置。
【請求項４】
請求項１乃至請求項３のいずれかに記載の点灯装置を用いた照明器具。
【請求項５】
前記照明器具は、それぞれが光源を持つ複数の照明器具ユニットから構成され、前記少なくとも１つの照明器具ユニットの点灯状態を変化させることにより、寿命であることを告知することを特徴とする請求項４に記載の照明器具。
【発明の詳細な説明】
【技術分野】
【０００１】
本発明は、寿命告知機能を有する点灯装置、及び点灯装置を用いた照明器具に関するものである。
【背景技術】
【０００２】
従来のＦＬ、ＨＩＤ等を使用した照明器具は、使用によってランプが寿命になると、点灯しなくなる、点灯しにくくなる、或いは従来の明るさが出なくなるという様に、使用者にランプの寿命が来たことが容易に分かり、ランプを交換することになる。一方、照明器具自体にも耐用年数、所謂寿命は存在する。照明器具自体の寿命は、金属部品の疲労、酸化、プラスチック部品の劣化、変色、破損、安定器を構成する部品の劣化、絶縁抵抗の低下等によって現れる。にもかかわらず、ランプが正常に点灯している場合、一般的にユーザは照明器具自体の寿命に気づかず使用し続けることが多い。
【０００３】
照明器具を寿命を越えて使用した場合、照明器具としての適正な性能が得られないばかりでなく、劣化した部位によっては、器具の破損、落下、発火等を引き起こす危険性がある。一般の電子機器、例えばテレビ等では種々の劣化によって、テレビの性能、例えば、画像の不鮮明さ、色変化、音の不調等によって、初期からの変化が比較的容易に分かり、機器が劣化してきていることが推測されやすい。これに対し、照明器具は、主とした機能が、ランプを適正に光らせ、対象物を照らすことであるので、照明器具の劣化度合いが、分かりにくいという現状がある。このため、使用者には器具の劣化が非常に分かりにくく、耐用年数が例えば１０年の照明器具が１０年以上、場合によっては数１０年以上使用され続けることがある。
【０００４】
照明器具の寿命を判定する手段としては、放電灯の点灯時間を積算カウントし、所定時間を超えたことで寿命と判定するようにしたものが知られている（例えば特許文献１参照）。特許文献１には、有寿命部品の温度を加味して積算カウント値を補正する思想も開示されている。しかし、照明器具の寿命は、使用環境によって大きく異なり、特許文献１に記載のように、単純に累積点灯時間をカウントするだけでは正確な寿命を判定しているとはいえない。即ち使用環境等の違いにより累積点灯時間のみで器具寿命を判別すると、器具が寿命と判別される前に有寿命部品が故障したり、逆に、器具が実質的に寿命に至ってないのに寿命と判別されて、寿命判別精度が保てない可能性がある。また、特許文献１には、寿命判定後の告知方法についての具体的な開示はない。
【特許文献１】特開２００１−１８５３７４号公報
【発明の開示】
【発明が解決しようとする課題】
【０００５】
上述したように、従来の照明器具の現状の形態は、寿命が来たことが、適切な時期に使用者に容易に判読されるようにはなっていない。従って、照明器具の寿命による不安全状態を起こさない様な手段が求められている。また、実際の照明器具の使用環境によっては、寿命までの時間が大きく異なってくることがある。
【０００６】
本発明は、上記課題を解決するためになされたものであり、寿命が来たことを使用者に確実に告知することができ、寿命が来た場合に適切な時期に使用者が処置することができる点灯装置、及び点灯装置を用いた照明器具を提供することを目的とする。
【課題を解決するための手段】
【０００７】
上記目的を達成するために請求項１の発明は、複数の光源を点灯させる点灯回路と、複数の光源の内少なくとも１つの光源を１つの単位として個別に点灯制御可能な制御回路と、予め設定された本点灯装置の寿命と関連して変化する物理的変化を検知し、これを基に寿命の到来を判定する判定手段と、判定手段が寿命の到来であると判定したときに寿命であることを告知する告知手段とを備えた点灯装置であって、告知手段は、制御回路が複数の光源のうち少なくとも一部の点灯状態を変化させることにより、寿命であることを告知するものである。
【０００８】
請求項２の発明は、請求項１に記載の点灯装置において、告知手段は、複数の光源のうち一部の光源の点灯状態を変化させ、該点灯状態を変化させる光源を時間の経過とともに変更することにより、寿命であることを告知するものである。
【０００９】
請求項３の発明は、請求項１に記載の点灯装置において、告知手段は、寿命告知用の点灯状態の設定を複数有し、寿命であることの告知時間の経過と共に寿命告知用の点灯状態の設定を変えるものである。
【００１０】
請求項４の発明は、請求項１乃至請求項３のいずれかに記載の点灯装置を用いた照明器具である。
【００１１】
請求項５の発明は、請求項４に記載の照明器具において、照明器具は、それぞれが光源を持つ複数の照明器具ユニットから構成され、少なくとも１つの照明器具ユニットの点灯状態を変化させることにより、寿命であることを告知するものである。
【発明の効果】
【００１２】
請求項１の発明によれば、点灯装置に寿命が到来すると、複数の光源の少なくとも一部の点灯状態が変化することにより、点灯装置が寿命であることが告知される。複数の光源の少なくとも一部の点灯状態の変化は、点灯装置の使用者にとって容易に確実に認識できる。従って、点灯装置の使用者は、複数の光源の少なくとも一部の点灯状態が変化することによる寿命告知を受けて、点灯装置が寿命であることを容易に確実に認識することができ、点灯装置に寿命が到来した場合に適切な時期に処置することができる。
【００１３】
請求項２の発明によれば、点灯装置に寿命が到来すると、点灯状態の変化する光源が時間の経過とともに変化する。このような点灯状態の変化は、点灯装置の使用者にとって容易に確実に認識でき、従って、点灯装置の使用者は、このような点灯状態の変化によって、より一層容易に確実に点灯装置が寿命であることを認識できる。
【００１４】
請求項３の発明によれば、点灯装置に寿命が到来すると、複数の光源の少なくとも一部の点灯状態の変化態様が時間の経過と共に変化する。このような点灯状態の変化は、点灯装置の使用者にとって容易に確実に認識でき、従って、点灯装置の使用者は、このような点灯状態の変化によって、より一層容易に確実に点灯装置が寿命であることを認識できる。
【００１５】
請求項４の発明によれば、寿命であることを容易に確実に認識することができ、寿命が到来した場合に適切な時期に処置することができる照明器具を得ることができる。
【００１６】
請求項５の発明によれば、寿命告知する面積が大きくなるため、より一層容易に確実に寿命であることを認識できる。
【発明を実施するための最良の形態】
【００１７】
以下、本発明を具体化した実施形態による点灯装置を用いた照明器具について図面を参照して説明する。
＜第１の実施形態＞
まず、第１の実施形態について説明する。図１（ａ）（ｂ）は、第１の実施形態に係る照明器具の構成を示す。照明器具１は、光源である複数のＬＥＤパッケージ２と、ＬＥＤパッケージ２を実装するＬＥＤユニット基板３と、筐体４と、透光性カバー５とを備えている。
【００１８】
図２は、ＬＥＤパッケージ２の構成を示す。ＬＥＤパッケージ２は、セラミック製のパッケージ２１の凹部２１ａにＬＥＤチップ２２が実装されており、ＬＥＤチップ２２を覆うように封止樹脂２３が充填されている。ＬＥＤチップ２２は、紫外〜青の光を発光するものである。封止樹脂２３は、ＬＥＤチップ２２から発光される紫外〜青の光により黄色〜緑色の光を発する蛍光体を含有している。
【００１９】
図３（ａ）（ｂ）は、ＬＥＤパッケージ２のＬＥＤユニット基板３への実装構造を示す。６個のＬＥＤパッケージ２がＬＥＤユニット基板３に実装されている。ＬＥＤユニット基板３は、放熱性の良い部材（金属（アルミ、銅等）、セラミック等）から成る基板に、絶縁層（図示省略）及び回路となる導電層（図示省略）が積層されている。各ＬＥＤパッケージ２は、ＬＥＤユニット基板３の導電層にはんだ等により接続されている。
【００２０】
筐体４は、ＬＥＤパッケージ２及びＬＥＤユニット基板３を収納している。透光性カバー５は、照明器具１の外部へ光を照射するためのものであり、筐体４に取付けられている。照明器具１は、ＬＥＤチップ２２から発光される青色の光と封止樹脂２３に含有される蛍光体から発光される黄色〜緑色の光の混色により、透光性カバー５の表面が光照射面となって、白色の光を照明器具１の外部に照射する。
【００２１】
照明器具１は、照明器具１を点灯させる点灯装置である駆動用電源（図示省略）を備えており、駆動用電源からの駆動用電圧により、ＬＥＤユニット基板３に実装されたＬＥＤパッケージ２（ＬＥＤチップ２２）を点灯させる。
【００２２】
駆動用電源（点灯装置）は、複数のＬＥＤパッケージ２を点灯させる点灯回路と、各ＬＥＤパッケージ２を個別に点灯制御可能な制御回路と、予め設定された駆動用電源の寿命を含む照明器具１の寿命と関連して変化する物理的変化を検知し、これを基に寿命の到来を判定する判定手段と、判定手段が寿命の到来であると判定したときに寿命であることを告知する告知手段とを含んでいる。駆動用電源は、筐体４の内部に設けられていてもよいし、筐体４の外部に設けられていてもよい。
【００２３】
判定手段は、例えば、駆動用電源（点灯装置）内の電子部品の特性値（アルミ電解コンデンサの静電容量、ダイオードのリーク電流）や、ＬＥＤパッケージ２の積算点灯時間をなどを検知し、これらの値が予め決めた値を超えると寿命の到来であると判定する。
【００２４】
告知手段は、判定手段が寿命の到来であると判定すると、ＬＥＤパッケージ２の点灯、消灯を繰り返して、ＬＥＤパッケージ２の点灯状態を通常の点灯状態から変化させることにより、照明器具１の寿命であることを使用者に告知する。このとき、例えば０．１〜５秒の任意の間隔でＬＥＤパッケージ２の点灯と消灯を繰り返すことにより、使用者が通常の点灯状態と異なることを認識できるようにする。
【００２５】
このような構成の点灯装置及び照明器具１によれば、照明器具１に寿命が到来すると、ＬＥＤパッケージ２が点灯、消灯を繰り返して、ＬＥＤパッケージ２の点灯状態が通常の点灯状態から変化することにより、照明器具１が寿命であることが告知される。ＬＥＤパッケージ２の点灯状態の変化は、照明器具１の使用者にとって容易に確実に認識できる。従って、照明器具１の使用者は、ＬＥＤパッケージ２の点灯状態が変化することによる寿命告知を受けて、照明器具１が寿命であることを容易に確実に認識することができ、照明器具１に寿命が到来した場合に適切な時期に処置することができる。
【００２６】
しかも、ＬＥＤパッケージ２の点灯、消灯の繰り返しにより照明器具１の寿命を告知するため、このようなＬＥＤパッケージ２の点灯、消灯の繰り返しは照明器具１の使用者にとって容易に確実に認識でき、従って、照明器具１の使用者は、より一層容易に確実に照明器具１が寿命であることを認識できる。
【００２７】
＜第２の実施形態＞
次に、第２の実施形態について説明する。本実施形態の点灯装置を用いた照明器具は、告知手段による寿命告知の方法が上記第１の実施形態と異なる。本実施形態における他の構成については、上記第１の実施形態（上記図１乃至図３に示した構成）と同様である。以下、上記図１乃至図３に付した符号を引用して説明する。
【００２８】
本実施形態の照明器具１は、上記第１の実施形態と同様に、照明器具１を点灯させる点灯装置である駆動用電源を備えており、駆動用電源（点灯装置）は、寿命であることを告知する告知手段とを含んでいる。
【００２９】
本実施形態では、告知手段は、数μｓｅｃ以下の非常に短い時間の消灯時間でＬＥＤパッケージ２の点灯、消灯を繰り返し、人間の目には通常の点灯と差がないが、別に用意した点滅パターン読取装置により光のパターン信号の認識を可能とし、光の点滅による寿命告知の信号を点滅パターン読取装置へ送ることにより、寿命を告知する。
【００３０】
このような構成の点灯装置及び照明器具１によれば、人間の目には変化なく、通常の点灯と差がない点灯状態を維持して寿命の告知を行うことが可能である。従って、使用状態が変わることなく確実に寿命告知ができ、店舗のショーウインドウ等の点灯状態が変化することに支障がある場所で使用される器具についても告知を行うことができる。
【００３１】
＜第３の実施形態＞
次に、第３の実施形態について説明する。本実施形態の点灯装置を用いた照明器具は、告知手段による寿命告知の方法が上記第１の実施形態と異なる。本実施形態における他の構成については、上記第１の実施形態（上記図１乃至図３に示した構成）と同様である。以下、上記図１乃至図３に付した符号を引用して説明する。
【００３２】
本実施形態の照明器具１は、上記第１の実施形態と同様に、照明器具１を点灯させる点灯装置である駆動用電源を備えており、駆動用電源（点灯装置）は、寿命であることを告知する告知手段とを含んでいる。
【００３３】
本実施形態では、告知手段は、ＬＥＤパッケージ２の通常点灯を１００％の明るさとした場合、１００％の明るさより暗い点灯を調光点灯とし、１００％の明るさの通常点灯と例えば５０％の明るさの調光点灯を、数秒間隔で交互に繰り返すことにより、寿命を告知する。
【００３４】
このような構成の点灯装置及び照明器具１によれば、常にＬＥＤパッケージ２が点灯している状態で、寿命の告知が可能であるため、照明するという機能を保持した状態で、寿命を告知することができる。
【００３５】
＜第４の実施形態＞
次に、第４の実施形態について説明する。本実施形態の点灯装置を用いた照明器具は、告知手段による寿命告知の方法が上記第１の実施形態と異なる。本実施形態における他の構成については、上記第１の実施形態（上記図１乃至図３に示した構成）と同様である。以下、上記図１乃至図３に付した符号を引用して説明する。
【００３６】
本実施形態の照明器具１は、上記第１の実施形態と同様に、照明器具１を点灯させる点灯装置である駆動用電源を備えており、駆動用電源（点灯装置）は、寿命であることを告知する告知手段とを含んでいる。
【００３７】
本実施形態では、告知手段は、ＬＥＤパッケージ２の通常点灯を１００％の明るさとした場合、１００％の明るさより暗い点灯を調光点灯とし、１００％の明るさの通常点灯と例えば１００％〜５０％の明るさまで徐々に暗くしていく調光点灯を数秒間隔で繰り返すことにより、寿命を告知する。なお、調光点灯は、５０％の明るさを限度とせず、より確実に寿命を告知するために、０％（消灯）まで暗くしてもよい。
【００３８】
このような構成の点灯装置及び照明器具１によれば、ＬＥＤパッケージ２の点灯状態が緩やかに変わるため、使用者は、このような点灯状態の変化により、確実に寿命であることを認識できる。
【００３９】
＜第５の実施形態＞
次に、第５の実施形態について説明する。本実施形態の点灯装置を用いた照明器具は、ＬＥＤパッケージの接続構造、及び告知手段による寿命告知の方法が上記第１の実施形態と異なる。本実施形態における他の構成については、上記第１の実施形態（上記図１乃至図３に示した構成）と同様である。以下、上記図１乃至図３に付した符号を引用して説明する。
【００４０】
本実施形態の照明器具１は、各ＬＥＤパッケージ２が並列に接続されており、各ＬＥＤパッケージ２を個別に点灯させることが可能になっている。また、本実施形態の照明器具１は、上記第１の実施形態と同様に、照明器具１を点灯させる点灯装置である駆動用電源を備えており、駆動用電源（点灯装置）は、寿命であることを告知する告知手段とを含んでいる。
【００４１】
本実施形態では、駆動用電源（点灯装置）は、駆動用電圧を各ＬＥＤパッケージ２に個別に印加することが可能になっている。
【００４２】
そして、本実施形態では、告知手段は、複数のＬＥＤパッケージ２のうち、何れかのＬＥＤパッケージ２を点灯（又は）消灯させることにより、寿命を告知する。また、全てのＬＥＤパッケージ２を消灯させた状態から、何れかのＬＥＤパッケージ２を点灯させることにより、寿命を告知することも可能である。
【００４３】
このような構成の点灯装置及び照明器具１によれば、通常の点灯状態とは明らかに異なる点灯状態により寿命を告知するため、使用者は、確実に寿命であることを認識できる。また、故障による消灯時は、故障部分が消灯状態のままになるが、寿命告知時は、各部分を点灯、消灯を繰り返すようにすれば、通常の故障状態と寿命告知との区別も容易である。
【００４４】
＜第６の実施形態＞
次に、第６の実施形態について説明する。本実施形態の点灯装置を用いた照明器具は、ＬＥＤパッケージの接続構造、及び告知手段による寿命告知の方法が上記第１の実施形態と異なる。本実施形態における他の構成については、上記第１の実施形態（上記図１乃至図３に示した構成）と同様である。以下、上記図１乃至図３に付した符号を引用して説明する。
【００４５】
本実施形態の照明器具１は、２〜３個のＬＥＤパッケージ２が直列に接続されたラインを複数形成すると共に、各ラインが並列に接続されており、各ライン毎にＬＥＤパッケージ２を点灯させることが可能になっている。また、本実施形態の照明器具１は、上記第１の実施形態と同様に、照明器具１を点灯させる点灯装置である駆動用電源を備えており、駆動用電源（点灯装置）は、寿命であることを告知する告知手段とを含んでいる。
【００４６】
本実施形態では、駆動用電源（点灯装置）は、駆動用電圧をＬＥＤパッケージ２のライン毎に印加することが可能になっている。
【００４７】
そして、本実施形態では、告知手段は、全てのＬＥＤパッケージ２が点灯している状態から、あるラインのＬＥＤパッケージ２のみを消灯させることを繰り返すことにより、寿命を告知する。また、全てのＬＥＤパッケージ２を消灯させた状態から、あるラインのＬＥＤパッケージ２のみを点灯させることを繰り返すことにより、寿命を告知することも可能である。
【００４８】
このような構成の点灯装置及び照明器具１によれば、通常の点灯状態とは明らかに異なる点灯状態により寿命を告知するため、使用者は、確実に寿命であることを認識できる。また、故障による消灯時は、故障部分が消灯状態のままになるが、寿命告知時は、あるラインのＬＥＤパッケージ２の点灯、消灯が繰り返されるため、通常の故障状態と寿命告知との区別も容易である。
【００４９】
＜第７の実施形態＞
次に、第７の実施形態について説明する。本実施形態の点灯装置を用いた照明器具は、ＬＥＤパッケージの接続構造、及び告知手段による寿命告知の方法が上記第１の実施形態と異なる。本実施形態における他の構成については、上記第１の実施形態（上記図１乃至図３に示した構成）と同様である。以下、上記図１乃至図３に付した符号を引用して説明する。
【００５０】
本実施形態の照明器具１は、２〜３個のＬＥＤパッケージ２が直列に接続されたラインを複数形成すると共に、各ラインが並列に接続されており、各ライン毎にＬＥＤパッケージ２を点灯させることが可能になっている。また、本実施形態の照明器具１は、上記第１の実施形態と同様に、照明器具１を点灯させる点灯装置である駆動用電源を備えており、駆動用電源（点灯装置）は、寿命であることを告知する告知手段とを含んでいる。
【００５１】
本実施形態では、駆動用電源（点灯装置）は、駆動用電圧をＬＥＤパッケージ２のライン毎に印加することが可能になっている。
【００５２】
そして、本実施形態では、告知手段は、複数のＬＥＤパッケージ２のうち幾つかのＬＥＤパッケージ２の点灯状態を変化させ、その点灯状態を変化させるＬＥＤパッケージ２を時間の経過とともに変更することにより、寿命を告知する。
【００５３】
具体的には、告知手段は、全てのラインのＬＥＤパッケージ２が点灯している状態から、あるライン内の全てのＬＥＤパッケージ２を消灯させることを、その消灯させるＬＥＤパッケージ２のラインを順番に変えて繰り返すことにより、寿命を告知する。また、全てのラインのＬＥＤパッケージ２を消灯させた状態から、あるラインの全てのＬＥＤパッケージ２を点灯させることを、その点灯させるＬＥＤパッケージ２のラインを順番に変えて繰り返すことにより、寿命を告知することも可能である。
【００５４】
このような構成の点灯装置及び照明器具１によれば、通常の点灯状態とは明らかに異なる点灯状態により寿命を告知するため、使用者は、確実に寿命であることを認識できる。また、故障による消灯時は、故障部分が消灯状態のままになるが、寿命告知時は、点灯、消灯するＬＥＤパッケージ２が時間の経過と共にライン毎に順番に変わっていくため、通常の故障状態と寿命告知との区別も容易である。
【００５５】
＜第８の実施形態＞
次に、第８の実施形態について説明する。本実施形態の点灯装置を用いた照明器具は、ＬＥＤパッケージの構成、及び告知手段による寿命告知の方法が上記第１の実施形態と異なる。本実施形態における他の構成については、上記第１の実施形態（上記図１及び図３に示した構成）と同様である。以下、上記図１及び図３に付した符号を引用して説明する。
【００５６】
図４は、本実施形態の照明器具１のＬＥＤパッケージ２の構成を示す。本実施形態では、ＬＥＤパッケージ２は、セラミック製のパッケージ２１にＬＥＤチップ２２ｒ、２２ｇ、２２ｂが実装されており、ＬＥＤチップ２２ｒ、２２ｇ、２２ｂを覆うように封止樹脂２３が充填されている。ＬＥＤチップ２２ｒは、赤色の光を発光するものであり、ＬＥＤチップ２２ｇは、緑色の光を発光するものであり、ＬＥＤチップ２２ｂは、青色の光を発光するものである。パッケージ２１の配線（図示省略）は、ＬＥＤチップ２２ｒ、２２ｇ、２２ｂ別に分離されている。
【００５７】
本実施形態の照明器具１は、上記第１の実施形態と同様に、照明器具１を点灯させる点灯装置である駆動用電源を備えており、駆動用電源（点灯装置）は、寿命であることを告知する告知手段とを含んでいる。
【００５８】
本実施形態では、駆動用電源（点灯装置）は、ＬＥＤパッケージ２のＬＥＤチップ２２ｒ、２２ｇ、２２ｂ毎に駆動用電圧を変更可能になっており、照明器具１は、ＬＥＤチップ２２ｒから発光される赤色の光、ＬＥＤチップ２２ｇから発光される緑色の光、ＬＥＤチップ２２ｂから発光される青色の光の混色により、白色の光を発光、照射する。
【００５９】
そして、本実施形態では、告知手段は、ＬＥＤパッケージ２のＬＥＤチップ２２ｒ、２２ｇ、２２ｂの駆動用電圧を個別に変更してＬＥＤパッケージ２の発光色を白以外（例えば赤）に変更することにより、寿命を告知する。また、寿命が近いという第1弾のお知らせと、寿命直前であるという第２弾の告知とに分け、例えば、第１弾のお知らせ時に黄色に変更し、第２弾の告知時に赤色に変更するようにしてもよい。
【００６０】
このような構成の点灯装置及び照明器具１によれば、色を変えることにより寿命を告知するため、使用者は、確実に寿命であることを認識できる。また、ＬＥＤパッケージ２のＬＥＤチップ２２ｒ、２２ｇ、２２ｂの駆動用電圧を個別に変更することにより様々な色を発光できるため、寿命が近いという第１弾のお知らせと寿命直前であるという第２弾の告知等、複数段階に分けた寿命告知を行う場合でも、色の変更が他の装置、部品を追加することなく容易に行える。
【００６１】
＜第９の実施形態＞
次に、第９の実施形態について説明する。図５は、第９の実施形態に係る点灯装置を用いた照明器具の構成を示す。本実施形態の照明器具１は、複数台の照明器具ユニット４１を備えている。各照明器具ユニット４１は、光源である複数のＬＥＤを有しており、これら複数のＬＥＤから発光される光を用いて照明を行うものである。複数台の照明器具ユニット４１は、３列の平行なライン状（ラインＸ、ラインＹ、ラインＺ）に配列されており、共通の電源に接続されている。また、照明器具１は、これら複数台の照明器具ユニット４１の点灯（すなわち照明器具ユニット４１内のＬＥＤの点灯）を制御する点灯装置（図示省略）とを備えている。
【００６２】
点灯装置は、複数の照明器具ユニット４１内のＬＥＤを点灯させる点灯回路と、各照明器具ユニット４１内のＬＥＤをライン毎に点灯制御可能な制御回路と、予め設定された点灯装置の寿命を含む照明器具１の寿命と関連して変化する物理的変化を検知し、これを基に寿命の到来を判定する判定手段と、判定手段が寿命の到来であると判定したときに寿命であることを告知する告知手段とを含んでいる。
【００６３】
判定手段は、例えば、点灯装置内の電子部品の特性値（アルミ電解コンデンサの静電容量、ダイオードのリーク電流）や、照明器具ユニット４１の電源端子間の絶縁抵抗値などを検知し、これらの値が予め決めた値を超えると寿命の到来であると判定する。
【００６４】
告知手段は、１つのライン（例えばラインＸ）の照明器具ユニット４１のみを点灯と消灯を繰り返して、１つのラインの照明器具ユニット４１の点灯状態を通常の点灯状態から変化させることにより、寿命を告知する。このとき、点灯と消灯は、例えば０．５秒〜３秒程度で繰り返すこととする。なお、点灯と消灯は、故障時の点滅と区別できる時間であれば、０．５秒〜３秒以外で繰り返してもよい。
【００６５】
このような構成の点灯装置及び照明器具１によれば、寿命告知する面積が大きくなるため、使用者は、確実に寿命であることを認識できる。また、１つのラインの照明器具ユニット４１が点灯と消灯を繰り返すため、通常の故障状態と寿命告知との区別も容易である。
【００６６】
＜第１０の実施形態＞
次に、第１０の実施形態について説明する。本実施形態の点灯装置を用いた照明器具は、告知手段による寿命告知の方法が上記第９の実施形態と異なる。本実施形態における他の構成については、上記第９の実施形態（上記図５に示した構成）と同様である。以下、上記図５に付した符号を引用して説明する。
【００６７】
本実施形態の照明器具１は、上記第９の実施形態と同様に、複数台の照明器具ユニット４１の点灯を制御する点灯装置を備えており、点灯装置は、寿命であることを告知する告知手段とを含んでいる。
【００６８】
本実施形態では、告知手段は、照明器具ユニット４１の通常点灯を１００％の明るさとした場合、１００％の明るさより暗い点灯を調光点灯とし、１つのライン（例えばラインＸ）の照明器具ユニット４１を１００％の明るさの通常点灯と例えば５０％の明るさの調光点灯を繰り返すことにより、寿命を告知する。
【００６９】
このとき、調光点灯は、通常点灯の５０％程度の明るさとすることで、通常の調光点灯（寿命告知のためでなく、例えば周囲の明るさに応じて照明器具１の明るさを調整するための調光点灯）と区別する。また、通常点灯と寿命告知のための調光点灯は、例えば０．５秒〜３秒程度で繰り返すこととする。なお、寿命告知のための調光点灯は、通常の調光点灯及び通常点灯と区別できる明るさであれば、例えば２０％や８０％の明るさでもよく、通常点灯と寿命告知のための調光点灯は、故障時の点灯と区別できる時間であれば、０．５秒〜３秒以外で繰り返してもよい。
【００７０】
このような構成の点灯装置及び照明器具１によれば、寿命告知する面積が大きくなるため、使用者は、確実に寿命であることを認識できる。また、１つのラインの照明器具ユニット４１が通常点灯と調光点灯を繰り返すため、通常の故障状態と寿命告知との区別も容易である。
【００７１】
＜第１１の実施形態＞
次に、第１１の実施形態について説明する。本実施形態の点灯装置を用いた照明器具は、告知手段による寿命告知の方法が上記第９の実施形態と異なる。本実施形態における他の構成については、上記第９の実施形態（上記図５に示した構成）と同様である。以下、上記図５に付した符号を引用して説明する。
【００７２】
本実施形態の照明器具１は、上記第９の実施形態と同様に、複数台の照明器具ユニット４１の点灯を制御する点灯装置を備えており、点灯装置は、寿命であることを告知する告知手段とを含んでいる。
【００７３】
本実施形態では、告知手段は、照明器具ユニット４１の通常点灯を１００％の明るさとした場合、１００％の明るさより暗い点灯を調光点灯とし、１つのライン（例えばラインＸ）の照明器具ユニット４１を１００％の明るさの通常点灯と例えば１００％〜５０％の明るさまで徐々に暗くしていく調光点灯を繰り返すことにより、寿命を告知する。
【００７４】
このとき、調光点灯は、通常点灯の５０％程度の明るさまで暗くしていくことで、通常の調光点灯（寿命告知のためでなく、例えば周囲の明るさに応じて照明器具１の明るさを調整するための調光点灯）と区別する。また、通常点灯と寿命告知のための調光点灯は、例えば０．５秒〜３秒程度で繰り返すこととする。なお、寿命告知のための調光点灯は、通常の調光点灯及び通常点灯と区別できる明るさであれば、例えば２０％や８０％の明るさまで暗くしてもよく、通常点灯と寿命告知のための調光点灯は、故障時の点灯と区別できる時間であれば、０．５秒〜３秒以外で繰り返してもよい。
【００７５】
このような構成の点灯装置及び照明器具１によれば、寿命告知する面積が大きくなるため、使用者は、確実に寿命であることを認識できる。また、１つのラインの照明器具ユニット４１が通常点灯と調光点灯を繰り返すため、通常の故障状態と寿命告知との区別も容易である。さらに、調光点灯が緩やかに変わるため、使用者は、このような点灯状態の変化により、確実に寿命であることを認識できる。
【００７６】
＜第１２の実施形態＞
次に、第１２の実施形態について説明する。本実施形態の点灯装置を用いた照明器具は、告知手段による寿命告知の方法が上記第９の実施形態と異なる。本実施形態における他の構成については、上記第９の実施形態（上記図５に示した構成）と同様である。以下、上記図５に付した符号を引用して説明する。
【００７７】
本実施形態の照明器具１は、上記第９の実施形態と同様に、複数台の照明器具ユニット４１の点灯を制御する点灯装置を備えており、点灯装置は、寿命であることを告知する告知手段とを含んでいる。
【００７８】
本実施形態では、告知手段は、寿命告知用の点灯状態の設定を複数有しており、寿命を告知する際、寿命であることの告知時間の経過と共に、寿命告知用の点灯状態の設定を予め定められた順番で変えるようになっている。
【００７９】
図６は、本実施形態における寿命告知用の点灯状態の設定内容を示す。図中、「１」は、照明器具ユニット４１の点灯を示し、「０」は照明器具ユニット４１の消灯を示している。すなわち、設定１は、ラインＸの照明器具ユニット４１を点灯し、ラインＹ、Ｚの照明器具ユニット４１を消灯する点灯状態である。また、設定２は、ラインＹの照明器具ユニット４１を点灯し、ラインＺ、Ｘの照明器具ユニット４１を消灯する点灯状態であり、設定３は、ラインＺの照明器具ユニット４１を点灯し、ラインＸ、Ｙの照明器具ユニット４１を消灯する点灯状態である。
【００８０】
告知手段は、寿命を告知する際、例えば０．５秒〜３秒毎に、設定１、設定２、設定３、設定１、・・・の順で、寿命告知用の点灯状態の設定を変更してゆく。すなわち、告知手段は、ラインＸ、ラインＹ、ラインＺ、ラインＸ、・・・という順番で照明器具ユニット４１の点灯を繰り返すことにより、寿命を告知する。
【００８１】
なお、寿命告知用の点灯状態の設定内容は、図６において点灯と消灯を入れ換えた内容であってもよく、また、点灯は、１００％の明るさの通常点灯、１００％の明るさよりも暗い調光点灯、点滅点灯の何れであってもよい。
【００８２】
このような構成の点灯装置及び照明器具１によれば、点灯（又は消灯、調光点灯）する照明器具ユニット４１のラインが時間の経過と共に順番に変ってゆくことにより、照明エリア全体に寿命が告知されるため、使用者は、確実に寿命であることを認識できる。
【００８３】
＜第１３の実施形態＞
次に、第１３の実施形態について説明する。本実施形態の点灯装置を用いた照明器具は、寿命告知用の点灯状態の設定内容（すなわち告知手段による寿命告知の方法）が上記第１２の実施形態と異なる。本実施形態における他の構成については、上記第１２の実施形態（上記図５に示した構成）と同様である。以下、上記図５に付した符号を引用して説明する。
【００８４】
本実施形態の照明器具１は、上記第１２の実施形態と同様に、複数台の照明器具ユニット４１の点灯を制御する点灯装置を備えており、点灯装置は、寿命であることを告知する告知手段とを含んでいる。
【００８５】
図７は、本実施形態における寿命告知用の点灯状態の設定内容を示す。図中、「１」は、照明器具ユニット４１の点灯を示し、「０」は照明器具ユニット４１の消灯を示している。すなわち、設定１は、ラインＸ、Ｙの照明器具ユニット４１を点灯し、ラインＺの照明器具ユニット４１を消灯する点灯状態である。また、設定２は、ラインＹ、Ｚの照明器具ユニット４１を点灯し、ラインＸの照明器具ユニット４１を消灯する点灯状態であり、設定３は、ラインＺ、Ｘの照明器具ユニット４１を点灯し、ラインＹの照明器具ユニット４１を消灯する点灯状態である。
【００８６】
告知手段は、寿命を告知する際、例えば０．５秒〜３秒毎に、設定１、設定２、設定３、設定１、・・・の順で、寿命告知用の点灯状態の設定を変更してゆく。すなわち、告知手段は、ラインＸとラインＹ、ラインＹとラインＺ、ラインＺとラインＸ、ラインＸとラインＹ、・・・という順番で照明器具ユニット４１の点灯を繰り返すことにより、寿命を告知する。
【００８７】
なお、寿命告知用の点灯状態の設定内容は、図７において点灯と消灯を入れ換えた内容であってもよく、また、点灯は、１００％の明るさの通常点灯、１００％の明るさよりも暗い調光点灯、点滅点灯の何れであってもよい。
【００８８】
このような構成の点灯装置及び照明器具１によれば、上記第１２の実施形態と同様に、点灯（又は消灯、調光点灯）する照明器具ユニット４１のラインが時間の経過と共に順番に変ってゆくことにより、照明エリア全体に寿命が告知されるため、使用者は、確実に寿命であることを認識できる。
【００８９】
＜第１４の実施形態＞
次に、第１４の実施形態について説明する。本実施形態の点灯装置を用いた照明器具は、告知手段による寿命告知の方法が上記第９の実施形態と異なる。本実施形態における他の構成については、上記第９の実施形態（上記図５に示した構成）と同様である。以下、上記図５に付した符号を引用して説明する。
【００９０】
本実施形態の照明器具１は、上記第９の実施形態と同様に、複数台の照明器具ユニット４１の点灯を制御する点灯装置を備えており、点灯装置は、寿命であることを告知する告知手段とを含んでいる。
【００９１】
本実施形態では、告知手段は、寿命告知用の点灯状態の設定を複数有しており、寿命を告知する際、寿命であることの告知時間の経過と共に、寿命告知用の点灯状態の設定をランダムに変えるようになっている。寿命告知用の点灯状態の設定内容は、例えば、上記第１２の実施形態における図６に示す設定内容、又は上記第１３の実施形態における図１０に示す設定内容と同じである。
【００９２】
すなわち、告知手段は、ラインＸ、Ｙ、Ｚの照明器具ユニット４１をランダムに点灯（又は消灯、調光点灯）することを繰り返すことにより、寿命を告知する。このとき、ラインＸ、Ｙ、Ｚの照明器具ユニット４１をランダムに点灯（又は消灯、調光点灯）させるため、各照明器具ユニット４１の点灯時間は、通常の故障モードと区別できるような点灯時間が好ましく、例えば０．５秒程度の短い点灯時間とする。
【００９３】
このような構成の点灯装置及び照明器具１によれば、点灯（又は消灯、調光点灯）する照明器具ユニット４１のラインが時間の経過と共にランダムに変ってゆくことにより、照明エリア全体に寿命が告知されるため、使用者は、確実に寿命であることを認識できる。
【００９４】
＜第１５の実施形態＞
次に、第１５の実施形態について説明する。本実施形態の点灯装置を用いた照明器具は、告知手段による寿命告知の方法が上記第９の実施形態と異なる。本実施形態における他の構成については、上記第９の実施形態（上記図５に示した構成）と同様である。以下、上記図５に付した符号を引用して説明する。
【００９５】
本実施形態の照明器具１は、上記第９の実施形態と同様に、複数台の照明器具ユニット４１の点灯を制御する点灯装置を備えており、点灯装置は、寿命であることを告知する告知手段とを含んでいる。
【００９６】
本実施形態では、告知手段は、全てのラインの照明器具ユニット４１を点灯と消灯を繰り返すことにより、寿命を告知する。このとき、点灯と消灯は、例えば０．５秒〜３秒程度で繰り返すこととする。なお、点灯と消灯は、故障時の点滅と区別できる時間であれば、０．５秒〜３秒以外で繰り返してもよい。
【００９７】
このような構成の点灯装置及び照明器具１によれば、全てのラインの照明器具ユニット４１が点灯と消灯を繰り返すことにより、照明エリア全体に寿命が告知されるため、使用者は、確実に寿命であることを認識できる。
【００９８】
＜第１６の実施形態＞
次に、第１６の実施形態について説明する。本実施形態の点灯装置を用いた照明器具は、告知手段による寿命告知の方法が上記第９の実施形態と異なる。本実施形態における他の構成については、上記第９の実施形態（上記図５に示した構成）と同様である。以下、上記図５に付した符号を引用して説明する。
【００９９】
本実施形態の照明器具１は、上記第９の実施形態と同様に、複数台の照明器具ユニット４１の点灯を制御する点灯装置を備えており、点灯装置は、寿命であることを告知する告知手段とを含んでいる。
【０１００】
本実施形態では、告知手段は、照明器具ユニット４１の通常点灯を１００％の明るさとした場合、１００％の明るさより暗い点灯を調光点灯とし、全てのラインの照明器具ユニット４１を１００％の明るさの通常点灯と例えば５０％の明るさの調光点灯を繰り返すことにより、寿命を告知する。
【０１０１】
このとき、調光点灯は、通常点灯の５０％程度の明るさとすることで、通常の調光点灯（寿命告知のためでなく、例えば周囲の明るさに応じて照明器具１の明るさを調整するための調光点灯）と区別する。また、通常点灯と寿命告知のための調光点灯は、例えば０．５秒〜３秒程度で繰り返すこととする。なお、寿命告知のための調光点灯は、通常の調光点灯及び通常点灯と区別できる明るさであれば、例えば２０％や８０％の明るさでもよく、通常点灯と寿命告知のための調光点灯は、故障時の点灯と区別できる時間であれば、０．５秒〜３秒以外で繰り返してもよい。
【０１０２】
このような構成の点灯装置及び照明器具１によれば、全てのラインの照明器具ユニット４１が通常点灯と調光点灯を繰り返すことにより、照明エリア全体に寿命が告知されるため、使用者は、確実に寿命であることを認識できる。また、常に照明器具ユニット４１が点灯している状態で、寿命の告知が可能であるため、照明するという機能を保持した状態で、寿命を告知することができる。
【０１０３】
＜第１７の実施形態＞
次に、第１７の実施形態について説明する。本実施形態の点灯装置を用いた照明器具は、告知手段による寿命告知の方法が上記第９の実施形態と異なる。本実施形態における他の構成については、上記第９の実施形態（上記図５に示した構成）と同様である。以下、上記図５に付した符号を引用して説明する。
【０１０４】
本実施形態の照明器具１は、上記第９の実施形態と同様に、複数台の照明器具ユニット４１の点灯を制御する点灯装置を備えており、点灯装置は、寿命であることを告知する告知手段とを含んでいる。
【０１０５】
本実施形態では、告知手段は、照明器具ユニット４１の通常点灯を１００％の明るさとした場合、１００％の明るさより暗い点灯を調光点灯とし、全てのラインの照明器具ユニット４１を１００％の明るさの通常点灯と例えば１００％〜５０％の明るさまで徐々に暗くしていく調光点灯を繰り返すことにより、寿命を告知する。
【０１０６】
このとき、調光点灯は、通常点灯の５０％程度の明るさまで暗くしていくことで、通常の調光点灯（寿命告知のためでなく、例えば周囲の明るさに応じて照明器具１の明るさを調整するための調光点灯）と区別する。また、通常点灯と寿命告知のための調光点灯は、例えば０．５秒〜３秒程度で繰り返すこととする。なお、寿命告知のための調光点灯は、通常の調光点灯及び通常点灯と区別できる明るさであれば、例えば２０％や８０％の明るさまで暗くしてもよく、通常点灯と寿命告知のための調光点灯は、故障時の点灯と区別できる時間であれば、０．５秒〜３秒以外で繰り返してもよい。
【０１０７】
このような構成の点灯装置及び照明器具１によれば、全てのラインの照明器具ユニット４１が通常点灯と調光点灯を繰り返すことにより、照明エリア全体に寿命が告知されるため、使用者は、確実に寿命であることを認識できる。また、照明器具ユニット４１の点灯状態が緩やかに変わるため、使用者は、このような点灯状態の変化により、確実に寿命であることを認識できる。
【０１０８】
＜第１８の実施形態＞
次に、第１８の実施形態について説明する。図８は、第１８の実施形態に係る点灯装置を用いた照明器具の構成を示す。本実施形態の照明器具１は、光源である複数のランプ５１と、安定器５２と、器具本体５３とを備えている。各ランプ５１は、ソケット５４を介して器具本体５３に装着されている。また、照明器具１は、照明器具１の点灯を制御する点灯装置（図示省略）を備えている。
【０１０９】
点灯装置は、複数のランプ５１を点灯させる点灯回路と、各ランプ５１を個別に点灯制御可能な制御回路と、予め設定された点灯装置の寿命を含む照明器具１の寿命と関連して変化する物理的変化を検知し、これを基に寿命の到来を判定する判定手段と、判定手段が寿命の到来であると判定したときに寿命であることを告知する告知手段とを含んでいる。
【０１１０】
判定手段は、例えば、ランプ５１の特性値（ランプ電流値、リーク電流）、点灯装置内の電子部品の特性（アルミ電解コンデンサの静電容量、ダイオードのリーク電流）、照明器具１の電源端子間の絶縁抵抗値などを検知し、これらの値が予め決めた値を超えると寿命の到来であると判定する。
【０１１１】
告知手段は、１つのランプ５１（例えばランプＡ）を点灯と消灯を繰り返して、１つのランプ５１の点灯状態を通常の点灯状態から変化させることにより、寿命を告知する。このとき、点灯と消灯は、例えば０．５秒〜３秒程度で繰り返すこととする。なお、点灯と消灯は、故障時の点滅と区別できる時間であれば、０．５秒〜３秒以外で繰り返してもよい。
【０１１２】
このような構成の点灯装置及び照明器具１によれば、複数あるうちの１つのランプ５１が点灯と消灯を繰り返すことにより寿命が告知され、寿命告知時には通常の故障と異なる点灯状態となるため、使用者は、このような点灯状態の変化により、確実に寿命であることを認識できる。
【０１１３】
＜第１９の実施形態＞
次に、第１９の実施形態について説明する。本実施形態の点灯装置を用いた照明器具は、告知手段による寿命告知の方法が上記第１８の実施形態と異なる。本実施形態における他の構成については、上記第１８の実施形態（上記図８に示した構成）と同様である。以下、上記図８に付した符号を引用して説明する。
【０１１４】
本実施形態の照明器具１は、上記第１８の実施形態と同様に、照明器具１の点灯を制御する点灯装置を備えており、点灯装置は、寿命であることを告知する告知手段とを含んでいる。
【０１１５】
本実施形態では、告知手段は、ランプ５１の通常点灯を１００％の明るさとした場合、１００％の明るさより暗い点灯を調光点灯とし、１つのランプ５１（例えばランプＡ）を１００％の明るさの通常点灯と例えば５０％の明るさの調光点灯を繰り返すことにより、寿命を告知する。
【０１１６】
このとき、調光点灯は、通常点灯の５０％程度の明るさとすることで、通常の調光点灯（寿命告知のためでなく、例えば周囲の明るさに応じて照明器具１の明るさを調整するための調光点灯）と区別する。また、通常点灯と寿命告知のための調光点灯は、例えば０．５秒〜３秒程度で繰り返すこととする。なお、寿命告知のための調光点灯は、通常の調光点灯及び通常点灯と区別できる明るさであれば、例えば２０％や８０％の明るさでもよく、通常点灯と寿命告知のための調光点灯は、故障時の点灯と区別できる時間であれば、０．５秒〜３秒以外で繰り返してもよい。
【０１１７】
このような構成の点灯装置及び照明器具１によれば、複数あるうちの１つのランプ５１が通常点灯と調光点灯を繰り返すことにより寿命が告知され、寿命告知時には通常の故障と異なる点灯状態となるため、使用者は、このような点灯状態の変化により、確実に寿命であることを認識できる。また、常にランプ５１が点灯している状態で、寿命の告知が可能であるため、照明するという機能を保持した状態で、寿命を告知することができる。
【０１１８】
＜第２０の実施形態＞
次に、第２０の実施形態について説明する。本実施形態の点灯装置を用いた照明器具は、告知手段による寿命告知の方法が上記第１８の実施形態と異なる。本実施形態における他の構成については、上記第１８の実施形態（上記図８に示した構成）と同様である。以下、上記図８に付した符号を引用して説明する。
【０１１９】
本実施形態の照明器具１は、上記第１８の実施形態と同様に、照明器具１の点灯を制御する点灯装置を備えており、点灯装置は、寿命であることを告知する告知手段とを含んでいる。
【０１２０】
本実施形態では、告知手段は、ランプ５１の通常点灯を１００％の明るさとした場合、１００％の明るさより暗い点灯を調光点灯とし、１つのランプ５１（例えばランプＡ）を１００％の明るさの通常点灯と例えば１００％〜５０％の明るさまで徐々に暗くしていく調光点灯を繰り返すことにより、寿命を告知する。
【０１２１】
このとき、調光点灯は、通常点灯の５０％程度の明るさまで暗くしていくことで、通常の調光点灯（寿命告知のためでなく、例えば周囲の明るさに応じて照明器具１の明るさを調整するための調光点灯）と区別する。また、通常点灯と寿命告知のための調光点灯は、例えば０．５秒〜３秒程度で繰り返すこととする。なお、寿命告知のための調光点灯は、通常の調光点灯及び通常点灯と区別できる明るさであれば、例えば２０％や８０％の明るさまで暗くしてもよく、通常点灯と寿命告知のための調光点灯は、故障時の点灯と区別できる時間であれば、０．５秒〜３秒以外で繰り返してもよい。
【０１２２】
このような構成の点灯装置及び照明器具１によれば、複数あるうちの１つのランプ５１が通常点灯と調光点灯を繰り返すことにより寿命が告知され、寿命告知時には通常の故障と異なる点灯状態となるため、使用者は、このような点灯状態の変化により、確実に寿命であることを認識できる。また、ランプ５１の点灯状態が緩やかに変わるため、使用者は、このような点灯状態の変化により、確実に寿命であることを認識できる。
【０１２３】
＜第２１の実施形態＞
次に、第２１の実施形態について説明する。本実施形態の点灯装置を用いた照明器具は、告知手段による寿命告知の方法が上記第１８の実施形態と異なる。本実施形態における他の構成については、上記第１８の実施形態（上記図８に示した構成）と同様である。以下、上記図８に付した符号を引用して説明する。
【０１２４】
本実施形態の照明器具１は、上記第１８の実施形態と同様に、照明器具１の点灯を制御する点灯装置を備えており、点灯装置は、寿命であることを告知する告知手段とを含んでいる。
【０１２５】
本実施形態では、告知手段は、寿命告知用の点灯状態の設定を複数有しており、寿命を告知する際、寿命であることの告知時間の経過と共に、寿命告知用の点灯状態の設定を予め定められた順番で変えるようになっている。
【０１２６】
図９は、本実施形態における寿命告知用の点灯状態の設定内容を示す。図中、「１」は、ランプ５１の点灯を示し、「０」はランプ５１の消灯を示している。すなわち、設定１は、ランプＡを点灯し、ランプＢ、Ｃ、Ｄ、Ｅを消灯する点灯状態である。また、設定２は、ランプＢを点灯し、ランプＡ、Ｃ、Ｄ、Ｅを消灯する点灯状態であり、設定３は、ランプＣを点灯し、ランプＡ、Ｂ、Ｄ、Ｅを消灯する点灯状態である。さらに、設定４は、ランプＤを点灯し、ランプＡ、Ｂ、Ｃ、Ｅを消灯する点灯状態であり、設定５は、ランプＥを点灯し、ランプＡ、Ｂ、Ｃ、Ｄを消灯する点灯状態である。
【０１２７】
告知手段は、寿命を告知する際、例えば０．５秒〜３秒毎に、設定１、設定２、設定３、設定４、設定５、設定１、・・・の順で、寿命告知用の点灯状態の設定を変更してゆく。すなわち、告知手段は、ランプＡ、ランプＢ、ランプＣ、ランプＤ、ランプＥ、ランプＡ、・・・という順番でランプ５１の点灯を繰り返すことにより、寿命を告知する。
【０１２８】
図１０は、本実施形態における寿命告知用の点灯状態の別の設定内容を示す。図中、「１」は、ランプ５１の点灯を示し、「０」はランプ５１の消灯を示している。設定１は、ランプＡ、Ｂを点灯し、ランプＣ、Ｄ、Ｅを消灯する点灯状態である。また、設定２は、ランプＣ、Ｄを点灯し、ランプＡ、Ｂ、Ｅを消灯する点灯状態であり、設定３は、ランプＥ、Ａを点灯し、ランプＢ、Ｃ、Ｄを消灯する点灯状態である。さらに、設定４は、ランプＢ、Ｃを点灯し、ランプＤ、Ｅ、Ａを消灯する点灯状態であり、設定５は、ランプＤ、Ｅを点灯し、ランプＡ、Ｂ、Ｃを消灯する点灯状態である。
【０１２９】
寿命告知用の点灯状態の設定内容は、図９に示す設定内容に代えて、図１０に示す設定内容であってもよい。また、寿命告知用の点灯状態の設定内容は、図９及び図１０において点灯と消灯を入れ換えた内容であってもよく、点灯は、１００％の明るさの通常点灯、１００％の明るさよりも暗い調光点灯、点滅点灯の何れであってもよい。
【０１３０】
このような構成の点灯装置及び照明器具１によれば、点灯（又は消灯、調光点灯）するランプ５１が時間の経過と共に順番に変ってゆくことにより、照明器具１全体で寿命が告知されるため、使用者は、確実に寿命であることを認識できる。
【０１３１】
＜第２２の実施形態＞
次に、第２２の実施形態について説明する。本実施形態の点灯装置を用いた照明器具は、告知手段による寿命告知の方法が上記第１８の実施形態と異なる。本実施形態における他の構成については、上記第１８の実施形態（上記図８に示した構成）と同様である。以下、上記図８に付した符号を引用して説明する。
【０１３２】
本実施形態の照明器具１は、上記第１８の実施形態と同様に、照明器具１の点灯を制御する点灯装置を備えており、点灯装置は、寿命であることを告知する告知手段とを含んでいる。
【０１３３】
本実施形態では、告知手段は、寿命告知用の点灯状態の設定を複数有しており、寿命を告知する際、寿命であることの告知時間の経過と共に、寿命告知用の点灯状態の設定をランダムに変えるようになっている。寿命告知用の点灯状態の設定内容は、例えば上記第２１の実施形態における図９又は図１０に示す設定内容と同じである。
【０１３４】
すなわち、告知手段は、ランプＡ、Ｂ、Ｃ、Ｄ、Ｅをランダムに点灯（又は消灯、調光点灯）することを繰り返すことにより、寿命を告知する。このとき、ランプＡ、Ｂ、Ｃ、Ｄ、Ｅをランダムに点灯（又は消灯、調光点灯）させるため、各ランプの点灯時間は、通常の故障モードと区別できるような点灯時間が好ましく、例えば０．５秒程度の短い点灯時間とする。
【０１３５】
このような構成の点灯装置及び照明器具１によれば、点灯（又は消灯、調光点灯）するランプ５１が時間の経過と共にランダムに変ってゆくことにより、照明器具１全体で寿命が告知されるため、使用者は、確実に寿命であることを認識できる。
【０１３６】
＜第２３の実施形態＞
次に、第２３の実施形態について説明する。本実施形態の点灯装置を用いた照明器具は、告知手段による寿命告知の方法が上記第１８の実施形態と異なる。本実施形態における他の構成については、上記第１８の実施形態（上記図８に示した構成）と同様である。以下、上記図８に付した符号を引用して説明する。
【０１３７】
本実施形態の照明器具１は、上記第１８の実施形態と同様に、照明器具１の点灯を制御する点灯装置を備えており、点灯装置は、寿命であることを告知する告知手段とを含んでいる。
【０１３８】
本実施形態では、告知手段は、全てのランプ５１を点灯と消灯を繰り返すことにより、寿命を告知する。このとき、点灯と消灯は、例えば０．５秒〜３秒程度で繰り返すこととする。なお、点灯と消灯は、故障時の点滅と区別できる時間であれば、０．５秒〜３秒以外で繰り返してもよい。
【０１３９】
このような構成の点灯装置及び照明器具１によれば、全てのランプ５１が点灯と消灯を繰り返すことにより、照明器具１全体で寿命が告知されるため、使用者は、確実に寿命であることを認識できる。
【０１４０】
＜第２４の実施形態＞
次に、第２４の実施形態について説明する。本実施形態の点灯装置を用いた照明器具は、告知手段による寿命告知の方法が上記第１８の実施形態と異なる。本実施形態における他の構成については、上記第１８の実施形態（上記図８に示した構成）と同様である。以下、上記図８に付した符号を引用して説明する。
【０１４１】
本実施形態の照明器具１は、上記第１８の実施形態と同様に、照明器具１の点灯を制御する点灯装置を備えており、点灯装置は、寿命であることを告知する告知手段とを含んでいる。
【０１４２】
本実施形態では、告知手段は、ランプ５１の通常点灯を１００％の明るさとした場合、１００％の明るさより暗い点灯を調光点灯とし、全てのランプ５１を１００％の明るさの通常点灯と例えば５０％の明るさの調光点灯を繰り返すことにより、寿命を告知する。
【０１４３】
このとき、調光点灯は、通常点灯の５０％程度の明るさとすることで、通常の調光点灯（寿命告知のためでなく、例えば周囲の明るさに応じて照明器具１の明るさを調整するための調光点灯）と区別する。また、通常点灯と寿命告知のための調光点灯は、例えば０．５秒〜３秒程度で繰り返すこととする。なお、寿命告知のための調光点灯は、通常の調光点灯及び通常点灯と区別できる明るさであれば、例えば２０％や８０％の明るさでもよく、通常点灯と寿命告知のための調光点灯は、故障時の点灯と区別できる時間であれば、０．５秒〜３秒以外で繰り返してもよい。
【０１４４】
このような構成の点灯装置及び照明器具１によれば、全てのランプ５１が通常点灯と調光点灯を繰り返すことにより、照明器具１全体で寿命が告知されるため、使用者は、確実に寿命であることを認識できる。また、常にランプ５１が点灯している状態で、寿命の告知が可能であるため、照明するという機能を保持した状態で、寿命を告知することができる。
【０１４５】
＜第２５の実施形態＞
次に、第２５の実施形態について説明する。本実施形態の点灯装置を用いた照明器具は、告知手段による寿命告知の方法が上記第１８の実施形態と異なる。本実施形態における他の構成については、上記第１８の実施形態（上記図８に示した構成）と同様である。以下、上記図８に付した符号を引用して説明する。
【０１４６】
本実施形態の照明器具１は、上記第１８の実施形態と同様に、照明器具１の点灯を制御する点灯装置を備えており、点灯装置は、寿命であることを告知する告知手段とを含んでいる。
【０１４７】
本実施形態では、告知手段は、ランプ５１の通常点灯を１００％の明るさとした場合、１００％の明るさより暗い点灯を調光点灯とし、全てのランプ５１を１００％の明るさの通常点灯と例えば１００％〜５０％の明るさまで徐々に暗くしていく調光点灯を繰り返すことにより、寿命を告知する。
【０１４８】
このとき、調光点灯は、通常点灯の５０％程度の明るさまで暗くしていくことで、通常の調光点灯（寿命告知のためでなく、例えば周囲の明るさに応じて照明器具１の明るさを調整するための調光点灯）と区別する。また、通常点灯と寿命告知のための調光点灯は、例えば０．５秒〜３秒程度で繰り返すこととする。なお、寿命告知のための調光点灯は、通常の調光点灯及び通常点灯と区別できる明るさであれば、例えば２０％や８０％の明るさまで暗くしてもよく、通常点灯と寿命告知のための調光点灯は、故障時の点灯と区別できる時間であれば、０．５秒〜３秒以外で繰り返してもよい。
【０１４９】
このような構成の点灯装置及び照明器具１によれば、全てのランプ５１が通常点灯と調光点灯を繰り返すことにより、照明器具１全体で寿命が告知されるため、使用者は、確実に寿命であることを認識できる。また、ランプ５１の点灯状態が緩やかに変わるため、使用者は、このような点灯状態の変化により、確実に寿命であることを認識できる。
【０１５０】
＜第２６の実施形態＞
次に、第２６の実施形態について説明する。図１１は、第２６の実施形態に係る点灯装置を用いた照明器具の構成を示す。本実施形態の点灯装置１は、光源である有機ＥＬパネル７１と、筐体４とを備えている。
【０１５１】
有機ＥＬパネル７１は、有機ＥＬ層及び電極層を有しており、これら有機ＥＬ層及び電極層がガラス等のケース上に積層されてカバーにより密閉されている。有機ＥＬパネル７１は、筐体４に取付けられている。照明器具１は、有機ＥＬパネル７１から発光される光を照明器具１の外部に照射する。
【０１５２】
照明器具１は、照明器具１を点灯させる点灯装置である駆動用電源（図示省略）を備えており、駆動用電源からの駆動用電圧により、有機ＥＬパネル７１を点灯させる。
【０１５３】
駆動用電源（点灯装置）は、有機ＥＬパネル７１を点灯させる点灯回路と、有機ＥＬパネル７１を点灯制御可能な制御回路と、予め設定された駆動用電源の寿命を含む照明器具１の寿命と関連して変化する物理的変化を検知し、これを基に寿命の到来を判定する判定手段と、判定手段が寿命の到来であると判定したときに寿命であることを告知する告知手段とを含んでいる。駆動用電源は、筐体４の内部に設けられていてもよいし、筐体４の外部に設けられていてもよい。
【０１５４】
判定手段は、例えば、駆動用電源（点灯装置）内の電子部品の特性値（アルミ電解コンデンサの静電容量、ダイオードのリーク電流）や、有機ＥＬパネル７１の積算点灯時間をなどを検知し、これらの値が予め決めた値を超えると寿命の到来であると判定する。
【０１５５】
告知手段は、判定手段が寿命の到来であると判定すると、有機ＥＬパネル７１の点灯、消灯を繰り返して、有機ＥＬパネル７１の点灯状態を通常の点灯状態から変化させることにより、照明器具１の寿命であることを使用者に告知する。このとき、例えば０．１〜５秒の任意の間隔で有機ＥＬパネル７１の点灯と消灯を繰り返すことにより、使用者が通常の点灯状態と異なることを認識できるようにする。
【０１５６】
このような構成の点灯装置及び照明器具１によれば、照明器具１に寿命が到来すると、有機ＥＬパネル７１が点灯、消灯を繰り返して、有機ＥＬパネル７１の点灯状態が通常の点灯状態から変化することにより、照明器具１が寿命であることが告知される。有機ＥＬパネル７１の点灯状態の変化は、照明器具１の使用者にとって容易に確実に認識できる。従って、照明器具１の使用者は、有機ＥＬパネル７１の点灯状態が変化することによる寿命告知を受けて、照明器具１が寿命であることを容易に確実に認識することができ、照明器具１に寿命が到来した場合に適切な時期に処置することができる。
【０１５７】
しかも、有機ＥＬパネル７１の点灯、消灯の繰り返しにより照明器具１の寿命を告知するため、このような有機ＥＬパネル７１の点灯、消灯の繰り返しは照明器具１の使用者にとって容易に確実に認識でき、従って、照明器具１の使用者は、より一層容易に確実に照明器具１が寿命であることを認識できる。
【０１５８】
＜第２７の実施形態＞
次に、第２７の実施形態について説明する。本実施形態の点灯装置を用いた照明器具は、告知手段による寿命告知の方法が上記第２６の実施形態と異なる。本実施形態における他の構成については、上記第２６の実施形態（上記図１１に示した構成）と同様である。以下、上記図１１に付した符号を引用して説明する。
【０１５９】
本実施形態の照明器具１は、上記第２６の実施形態と同様に、照明器具１を点灯させる点灯装置である駆動用電源を備えており、駆動用電源（点灯装置）は、寿命であることを告知する告知手段とを含んでいる。
【０１６０】
本実施形態では、告知手段は、数μｓｅｃ以下の非常に短い時間の消灯時間で有機ＥＬパネル７１の点灯、消灯を繰り返し、人間の目には通常の点灯と差がないが、別に用意した点滅パターン読取装置により光のパターン信号の認識を可能とし、光の点滅による寿命告知の信号を点滅パターン読取装置へ送ることにより、寿命を告知する。
【０１６１】
このような構成の点灯装置及び照明器具１によれば、人間の目には変化なく、通常の点灯と差がない点灯状態を維持して寿命の告知を行うことが可能である。従って、使用状態が変わることなく確実に寿命告知ができ、店舗のショーウインドウ等の点灯状態が変化することに支障がある場所で使用される器具についても告知を行うことができる。
【０１６２】
＜第２８の実施形態＞
次に、第２８の実施形態について説明する。本実施形態の点灯装置を用いた照明器具は、告知手段による寿命告知の方法が上記第２６の実施形態と異なる。本実施形態における他の構成については、上記第２６の実施形態（上記図１１に示した構成）と同様である。以下、上記図１１に付した符号を引用して説明する。
【０１６３】
本実施形態の照明器具１は、上記第２６の実施形態と同様に、照明器具１を点灯させる点灯装置である駆動用電源を備えており、駆動用電源（点灯装置）は、寿命であることを告知する告知手段とを含んでいる。
【０１６４】
本実施形態では、告知手段は、有機ＥＬパネル７１の通常点灯を１００％の明るさとした場合、１００％の明るさより暗い点灯を調光点灯とし、１００％の明るさの通常点灯と例えば５０％の明るさの調光点灯を、数秒間隔で交互に繰り返すことにより、寿命を告知する。
【０１６５】
このような構成の点灯装置及び照明器具１によれば、常に有機ＥＬパネル７１が点灯している状態で、寿命の告知が可能であるため、照明するという機能を保持した状態で、寿命を告知することができる。
【０１６６】
＜第２９の実施形態＞
次に、第２９の実施形態について説明する。本実施形態の点灯装置を用いた照明器具は、告知手段による寿命告知の方法が上記第２６の実施形態と異なる。本実施形態における他の構成については、上記第２６の実施形態（上記図１１に示した構成）と同様である。以下、上記図１１に付した符号を引用して説明する。
【０１６７】
本実施形態の照明器具１は、上記第２６の実施形態と同様に、照明器具１を点灯させる点灯装置である駆動用電源を備えており、駆動用電源（点灯装置）は、寿命であることを告知する告知手段とを含んでいる。
【０１６８】
本実施形態では、告知手段は、有機ＥＬパネル７１の通常点灯を１００％の明るさとした場合、１００％の明るさより暗い点灯を調光点灯とし、１００％の明るさの通常点灯と例えば１００％〜５０％の明るさまで徐々に暗くしていく調光点灯を数秒間隔で繰り返すことにより、寿命を告知する。なお、調光点灯は、５０％の明るさを限度とせず、より確実に寿命を告知するために、０％（消灯）まで暗くしてもよい。
【０１６９】
このような構成の点灯装置及び照明器具１によれば、有機ＥＬパネル７１の点灯状態が緩やかに変わるため、使用者は、このような点灯状態の変化により、確実に寿命であることを認識できる。
【０１７０】
＜第３０の実施形態＞
次に、第３０の実施形態について説明する。図１２は、第３０の実施形態に係る点灯装置を用いた照明器具の構成を示す。本実施形態の点灯装置１は、光源である複数の有機ＥＬパネル７１と、筐体４と、透光性カバー５とを備えている。
【０１７１】
各有機ＥＬパネル７１は、有機ＥＬ層及び電極層を有しており、これら有機ＥＬ層及び電極層がガラス等のケース上に積層されてカバーにより密閉されている。各有機ＥＬパネル７１は、透光性カバー５に取付けられている。透光性カバー５は、筐体４に取付けられている。照明器具１は、有機ＥＬパネル７１から発光される光を照明器具１の外部に照射する。
【０１７２】
照明器具１は、照明器具１を点灯させる点灯装置である駆動用電源（図示省略）を備えており、駆動用電源からの駆動用電圧により、有機ＥＬパネル７１を点灯させる。
【０１７３】
駆動用電源（点灯装置）は、複数の有機ＥＬパネル７１を点灯させる点灯回路と、各有機ＥＬパネル７１を個別に点灯制御可能な制御回路と、予め設定された駆動用電源の寿命を含む照明器具１の寿命と関連して変化する物理的変化を検知し、これを基に寿命の到来を判定する判定手段と、判定手段が寿命の到来であると判定したときに寿命であることを告知する告知手段とを含んでいる。駆動用電源は、筐体４の内部に設けられていてもよいし、筐体４の外部に設けられていてもよい。
【０１７４】
判定手段は、例えば、駆動用電源（点灯装置）内の電子部品の特性値（アルミ電解コンデンサの静電容量、ダイオードのリーク電流）や、有機ＥＬパネル７１の積算点灯時間をなどを検知し、これらの値が予め決めた値を超えると寿命の到来であると判定する。
【０１７５】
告知手段は、判定手段が寿命の到来であると判定すると、複数の有機ＥＬパネル７１のうち、何れかの有機ＥＬパネル７１を点灯（又は）消灯させることにより、寿命を告知する。また、全ての有機ＥＬパネル７１を消灯させた状態から、何れかの有機ＥＬパネル７１を点灯させることにより、寿命を告知することも可能である。
【０１７６】
このような構成の点灯装置及び照明器具１によれば、通常の点灯状態とは明らかに異なる点灯状態により寿命を告知するため、使用者は、確実に寿命であることを認識できる。また、故障による消灯時は、故障部分が消灯状態のままになるが、寿命告知時は、各部分を点灯、消灯を繰り返すようにすれば、通常の故障状態と寿命告知との区別も容易である。
【０１７７】
＜第３１の実施形態＞
次に、第３１の実施形態について説明する。本実施形態の点灯装置を用いた照明器具は、告知手段による寿命告知の方法が上記第３０の実施形態と異なる。本実施形態における他の構成については、上記第３０の実施形態（上記図１２に示した構成）と同様である。以下、上記図１２に付した符号を引用して説明する。
【０１７８】
本実施形態の照明器具１は、上記第３０の実施形態と同様に、照明器具１を点灯させる点灯装置である駆動用電源を備えており、駆動用電源（点灯装置）は、寿命であることを告知する告知手段とを含んでいる。
【０１７９】
本実施形態では、告知手段は、複数の有機ＥＬパネル７１のうち幾つかの有機ＥＬパネル７１の点灯状態を変化させ、その点灯状態を変化させる有機ＥＬパネル７１を時間の経過とともに変更することにより、寿命を告知する。
【０１８０】
具体的には、告知手段は、全ての有機ＥＬパネル７１が点灯している状態から、ある有機ＥＬパネル７１のみを消灯させることを、その消灯させる有機ＥＬパネル７１を順番に変えて繰り返すことにより、寿命を告知する。また、全ての有機ＥＬパネル７１を消灯させた状態から、ある有機ＥＬパネル７１のみを点灯させることを、その点灯させる有機ＥＬパネル７１を順番に変えて繰り返すことにより、寿命を告知することも可能である。
【０１８１】
このような構成の点灯装置及び照明器具１によれば、通常の点灯状態とは明らかに異なる点灯状態により寿命を告知するため、使用者は、確実に寿命であることを認識できる。また、故障による消灯時は、故障部分が消灯状態のままになるが、寿命告知時は、点灯、消灯する有機ＥＬパネル７１が時間の経過と共に順番に変わっていくため、通常の故障状態と寿命告知との区別も容易である。
【０１８２】
＜第３２の実施形態＞
次に、第３２の実施形態について説明する。本実施形態の点灯装置を用いた照明器具は、有機ＥＬパネル７１の接続構造、及び告知手段による寿命告知の方法が上記第３０の実施形態と異なる。本実施形態における他の構成については、上記第３０の実施形態（上記図１２に示した構成）と同様である。以下、上記図１２に付した符号を引用して説明する。
【０１８３】
本実施形態の照明器具１は、２個以上の有機ＥＬパネル７１が直列に接続されたラインを複数形成すると共に、各ラインが並列に接続されており、各ライン毎に有機ＥＬパネル７１を点灯させることが可能になっている。また、本実施形態の照明器具１は、上記第３０の実施形態と同様に、照明器具１を点灯させる点灯装置である駆動用電源を備えており、駆動用電源（点灯装置）は、寿命であることを告知する告知手段とを含んでいる。
【０１８４】
本実施形態では、駆動用電源（点灯装置）は、駆動用電圧を有機ＥＬパネル７１のライン毎に印加することが可能になっている。
【０１８５】
そして、本実施形態では、告知手段は、複数の有機ＥＬパネル７１のうち幾つかの有機ＥＬパネル７１の点灯状態を変化させ、その点灯状態を変化させる有機ＥＬパネル７１を時間の経過とともに変更することにより、寿命を告知する。
【０１８６】
具体的には、告知手段は、全てのラインの有機ＥＬパネル７１が点灯している状態から、あるライン内の全ての有機ＥＬパネル７１を消灯させることを、その消灯させる有機ＥＬパネル７１のラインを順番に変えて繰り返すことにより、寿命を告知する。また、全てのラインの有機ＥＬパネル７１を消灯させた状態から、あるラインの全ての有機ＥＬパネル７１を点灯させることを、その点灯させる有機ＥＬパネル７１のラインを順番に変えて繰り返すことにより、寿命を告知することも可能である。
【０１８７】
このような構成の点灯装置及び照明器具１によれば、通常の点灯状態とは明らかに異なる点灯状態により寿命を告知するため、使用者は、確実に寿命であることを認識できる。また、故障による消灯時は、故障部分が消灯状態のままになるが、寿命告知時は、点灯、消灯する有機ＥＬパネル７１が時間の経過と共にライン毎に順番に変わっていくため、通常の故障状態と寿命告知との区別も容易である。
【０１８８】
＜第３３の実施形態＞
次に、第３３の実施形態について説明する。本実施形態の点灯装置を用いた照明器具は、有機ＥＬパネルの構成、及び告知手段による寿命告知の方法が上記第２６の実施形態と異なる。本実施形態における他の構成については、上記第２６の実施形態（上記図１１に示した構成）と同様である。以下、上記図１１に付した符号を引用して説明する。
【０１８９】
本実施形態では、有機ＥＬパネル７１は、青色に発光する有機ＥＬ層、赤色に発光する有機ＥＬ層、緑色に発光する有機ＥＬ層が各々１層以上積層されており、色別に発光させることが可能なように、有機ＥＬパネル７１の配線が各色の有機ＥＬ層別に分離されている。
【０１９０】
本実施形態の照明器具１は、上記第２６の実施形態と同様に、照明器具１を点灯させる点灯装置である駆動用電源を備えており、駆動用電源（点灯装置）は、寿命であることを告知する告知手段とを含んでいる。
【０１９１】
本実施形態では、駆動用電源（点灯装置）は、有機ＥＬパネル７１の各色の有機ＥＬ層毎に駆動用電圧を変更可能になっており、照明器具１は、有機ＥＬパネル７１の各色の有機ＥＬ層から発光される青色の光、赤色の光、緑色の光の混色により、白色の光を発光、照射する。
【０１９２】
そして、本実施形態では、告知手段は、有機ＥＬパネル７１の各色の有機ＥＬ層の駆動用電圧を個別に変更して有機ＥＬパネル７１の発光色を白以外（例えば赤）に変更することにより、寿命を告知する。また、寿命が近いという第1弾のお知らせと、寿命直前であるという第２弾の告知とに分け、例えば、第１弾のお知らせ時に黄色に変更し、第２弾の告知時に赤色に変更するようにしてもよい。
【０１９３】
このような構成の点灯装置及び照明器具１によれば、色を変えることにより寿命を告知するため、使用者は、確実に寿命であることを認識できる。また、有機ＥＬパネル７１の各色の有機ＥＬ層の駆動用電圧を個別に変更することにより様々な色を発光できるため、寿命が近いという第１弾のお知らせと寿命直前であるという第２弾の告知等、複数段階に分けた寿命告知を行う場合でも、色の変更が他の装置、部品を追加することなく容易に行える。
【図面の簡単な説明】
【０１９４】
【図１】（ａ）は本発明の一実施形態に係る照明器具の構成を示す平面図、（ｂ）は同断面図。
【図２】同照明器具のＬＥＤパッケージの構成を示す断面図。
【図３】（ａ）は同照明器具のＬＥＤパッケージのＬＥＤユニット基板への実装構造を示す平面図、（ｂ）は同断面図。
【図４】本発明の別の実施形態に係る照明器具のＬＥＤパッケージの構成を示す断面図。
【図５】本発明のさらに別の実施形態に係る照明器具の構成を示す平面図。
【図６】同照明器具の寿命告知用の点灯状態の設定内容を示す図。
【図７】同照明器具の寿命告知用の点灯状態の別の設定内容を示す図。
【図８】本発明のさらに別の実施形態に係る照明器具の構成を示す平面図。
【図９】同照明器具の寿命告知用の点灯状態の設定内容を示す図。
【図１０】同照明器具の寿命告知用の点灯状態の別の設定内容を示す図。
【図１１】は本発明のさらに別の実施形態に係る照明器具の構成を示す断面図。
【図１２】は本発明のさらに別の実施形態に係る照明器具の構成を示す断面図。
【符号の説明】
【０１９５】
１    照明器具
２    ＬＥＤパッケージ
３    ＬＥＤユニット基板
４    筐体
５    透光性カバー
２１    パッケージ
２２    ＬＥＤチップ
２３    封止樹脂
４１    照明器具ユニット
５１    ランプ
７１    有機ＥＬパネル
【図１】
2006236636.tif 000003
【図２】
2006236636.tif 000004
【図３】
2006236636.tif 000005
【図４】
2006236636.tif 000006
【図５】
2006236636.tif 000007
【図６】
2006236636.tif 000008
【図７】
2006236636.tif 000009
【図８】
2006236636.tif 000010
【図９】
2006236636.tif 000011
【図１０】
2006236636.tif 000012
【図１１】
2006236636.tif 000013
【図１２】
2006236636.tif 000014